(57)【要約】【課題】裏写り除去効果確認を効率的に行うことができる画像形成装置を提供する。【解決手段】原稿画像を読み取って画像形成する際に、原稿裏面や次ページ原稿表面の画像が原稿表面画像と同時に形成される裏写りを除去する裏写り除去手段２を備えた画像形成装置において、画像形成前に形成予定画像を表示する画像表示手段４と、これを制御するシステム制御手段７とを備えた。【選択図】      図１
2004221694.tif 000002
【特許請求の範囲】
【請求項１】
原稿画像を読み取って画像形成する際に、原稿裏面や次ページ原稿表面の画像が原稿表面画像と同時に形成される裏写りを除去する裏写り除去手段を備えた画像形成装置において、画像形成前に形成予定画像を表示する画像表示手段と、該画像表示手段を制御するシステム制御手段と、を備えたことを特徴とする画像形成装置。
【請求項２】
請求項１において、前記画像表示手段を用いて裏写り除去機能効果を目視確認した形成予定画像を使用するか否かのモード変更手段を備えたことを特徴とする画像形成装置。
【請求項３】
請求項１において、前記画像表示手段を用いて裏写り除去機能効果を目視確認した形成予定画像に対して、裏写り除去機能のレベルを変更可能とするレベル変更手段を備えたことを特徴とする画像形成装置。
【請求項４】
請求項１において、前記画像表示手段を用いた裏写り除去機能効果の目視確認が不要であると判断した場合、形成予定画像表示を行わずに画像形成を即時に行うようにしたことを特徴とする画像形成装置。
【発明の詳細な説明】
【０００１】
【発明の属する技術分野】
本発明は、原稿画像を読み取って画像形成する際に、原稿裏面や次ページ原稿表面の画像が原稿表面画像と同時に形成される裏写りを除去する裏写り除去手段を備えた画像形成装置に関するものである。
【０００２】
【従来の技術】
原稿画像を読み取って画像形成する際に、原稿裏面や次ページ原稿表面の画像が原稿表面画像と同時に形成される裏写りを除去する裏写り除去手段を備えた画像形成装置に関連する従来技術として、例えば特許文献１に記載の技術が知られている。
【特許文献１】特開２００１−１６９０８０公報
【０００３】
【発明が解決しようとする課題】
上記特許文献１の従来技術では、裏写り除去機能の効果を確認するために、一度画像形成物を出力することになる。そしてその画像形成物が不本意な裏写り除去効果（十分に裏写りが除去されていない／裏写り以外の箇所が除去されてしまっている等）しか有していない場合には、裏写り除去レベルを切り替える、もしくは裏写り除去モードを解除するなどの操作を行った後に、もう一度画像形成物を出力することになる。これは画像出力にかかる時間的な浪費、あるいはサプライの浪費につながることになる。
本発明は、これらの問題点を解決し、裏写り除去効果確認を効率的に行うことができる画像形成装置を提供することを目的とする。
【０００４】
【課題を解決するための手段】
上記目的を達成するために、請求項１記載の発明は、原稿画像を読み取って画像形成する際に、原稿裏面や次ページ原稿表面の画像が原稿表面画像と同時に形成される裏写りを除去する裏写り除去手段を備えた画像形成装置において、画像形成前に形成予定画像を表示する画像表示手段と、該画像表示手段を制御するシステム制御手段と、を備えたことを特徴とする。
請求項２記載の発明は、請求項１において、前記画像表示手段を用いて裏写り除去機能効果を目視確認した形成予定画像を使用するか否かのモード変更手段を備えたことを特徴とする。
請求項３記載の発明は、請求項１において、前記画像表示手段を用いて裏写り除去機能効果を目視確認した形成予定画像に対して、裏写り除去機能のレベルを変更可能とするレベル変更手段を備えたことを特徴とする。
請求項４記載の発明は、請求項１において、前記画像表示手段を用いた裏写り除去機能効果の目視確認が不要であると判断した場合、形成予定画像表示を行わずに画像形成を即時に行うようにしたことを特徴とする。
【０００５】
【発明の実施の形態】
以下、図面により本発明の実施の形態を詳細に説明する。図１は本発明の実施の形態に係る画像形成装置の機能ブロック図である。本画像形成装置は、原稿画像の光学信号を電気信号に変換する画像読み取り手段１と、画像読み取り手段１により得られた電気的画像信号に対して、裏写り除去を行う裏写り除去手段２と、裏写り除去手段２により得られた画像信号あるいは後述の画像蓄積手段６経由の画像信号を基に転写紙に画像を形成する画像形成手段３とを備える。
また本画像形成装置は、同様に、裏写り除去手段２により得られた画像信号を表示する画像表示手段４と、ユーザと本装置との操作用インターフェースとなる操作手段５と、裏写り除去手段２により得られた画像信号あるいは画像読み取り手段１により得られた画像信号を蓄積・出力する上記画像蓄積手段６と、上述の各ユニットを統括管理制御するシステム制御手段７とを備える。
画像読み取り手段１により読み取られた原稿の画像信号は、裏写り除去手段２に入力され、ここで裏写り除去処理が施される。また原稿の画像信号は同時に、裏写り除去が施されていない画像として、画像蓄積手段６に入力され蓄積される。その後、裏写り除去画像信号は画像表示手段４に入力され、画像表示が行われる。ユーザが画像形成を望んだ場合は、画像蓄積手段６から裏写り除去画像信号が出力され、画像形成手段３により画像形成が行われる。
一方ユーザが画像形成を望まない場合は、画像蓄積手段６から裏写り除去をしていない画像信号が出力され、裏写り除去手段２にこの信号が入力され、裏写り除去処理が施された後、画像形成手段３により画像形成が行われる。もしくは、画像蓄積手段６を通さずに、裏写り除去手段２にて除去を行わない設定（スルー設定）をし、画像形成手段３に読み取り画像信号を入力することも可能である。
ユーザの操作には操作手段５が使用され、システム制御手段７は上述の各手段を統括管理制御する。太線が画像データ、細線が制御データを示す。使用する裏写り除去手段２の詳細は、特開２００１−１６９０８０公報「カラー画像処理方法、カラー画像処理装置、及びそのための記録媒体」に記載されている。
【０００６】
図２は原稿の表裏面と裏写り除去確認画面を示す図である。図２を用いて、画像形成前に画像表示手段４上に形成予定画像を表示することにより、ユーザが裏写り除去機能による効果を一度目視確認できることを説明する。図２（１）が原稿オモテ面、図２（２）が原稿ウラ面であった場合、裏写り除去手段２により処理が施された画像として、画像表示手段４上に図２（３）に示す表示が行われる。ユーザは画像形成を行わずして、裏写り除去効果を目視確認することができる。
【０００７】
図３は本発明の画像形成装置におけるユーザの操作フローの第１の例を示す図である。図３により、画像表示手段４を用いて裏写り除去機能効果を目視確認した形成予定画像を、ユーザが使用希望するか否かに応じて、画像形成時に裏写り除去機能の使用可否のモード変更を行うことを説明する。
Ｓ１：ユーザは操作手段５のスタートキーを押下する。画像形成装置は、画像読み取り手段１により原稿画像の読み取りを行い、裏写り除去手段２により裏写り除去処理を行う。同時に、画像蓄積手段６に裏写り除去前の画像が蓄積される。さらに画像表示手段４により裏写り除去後の画像を表示する。
Ｓ２：ユーザは画像表示手段４上の裏写り除去画像を確認する。Ｓ３：ユーザは裏写り除去効果が適切であるか否かを判断する。Ｓ４：ユーザはＳ３にてＹｅｓの場合、操作手段５のスタートキーを再押下する。画像形成装置は、画像蓄積手段６から裏写り除去前の画像信号を出力し、裏写り除去手段２により裏写り除去処理を行い、画像形成手段３により画像形成を行う。
Ｓ５：ユーザは裏写り除去効果ありの形成画像を得る。Ｓ６：  ユーザはＳ３にてＮｏの場合、操作手段５の裏写り除去モードキーをオフし、スタートキーを再押下する。画像形成装置は、画像蓄積手段６から裏写り除去前の画像信号を出力し、裏写り除去手段２により裏写り除去処理を行わずに（スルー設定）出力し、画像形成手段３により画像形成を行う。Ｓ７：  ユーザは裏写り除去効果なしの形成画像を得る。
【０００８】
図４は本発明の画像形成装置におけるユーザの操作フローの第２の例を示す図である。図４により、画像表示手段４を用いて裏写り除去機能効果を目視確認した形成予定画像を、ユーザが使用希望するか否に応じて、画像形成時に裏写り除去機能用レベル変更を行うことを説明する。
Ｓ１１：ユーザは操作手段５のスタートキーを押下する。画像形成装置は、画像読み取り手段１により原稿画像の読み取りを行い、裏写り除去手段２により裏写り除去処理を行う。同時に、画像蓄積手段６に裏写り除去前の画像が蓄積される。さらに画像表示手段４により裏写り除去後の画像を表示する。
Ｓ１２：ユーザは画像表示手段４上の裏写り除去画像を確認する。Ｓ１３：ユーザは裏写り除去効果が適切であるか否かを判断する。Ｓ１４：ユーザはＳ１３にてＹｅｓの場合、操作手段５のスタートキーを再押下する。画像形成装置は、画像蓄積手段６から裏写り除去前の画像信号を出力し、裏写り除去手段２により、指定されたレベルでの裏写り除去処理を行う。さらに画像形成手段３により画像形成を行う。
Ｓ１５：ユーザは指定したレベルでの裏写り除去効果ありの形成画像を得る。Ｓ１６：  ユーザはＳ１３にてＮｏの場合、操作手段５の裏写り除去レベルを変更する。画像形成装置は、操作手段５から裏写り除去手段２へと裏写り除去レベルを通知する。（この後はＳ１１に戻る）
【０００９】
図５は本発明の画像形成装置におけるユーザの操作フローの第３の例を示す図である。図５により、画像表示手段４を用いた裏写り除去機能効果の目視確認を、ユーザが不要であると判断した場合、あらかじめ該内容の設定をしておけば、画像表示手段４での裏写り除去機能効果確認用形成予定画像表示を行わずに、画像形成を即時に行えることを説明する。
Ｓ２１：ユーザは裏写り除去機能を使用するか否かを判断する。Ｓ２２：ユーザはＳ２１にてＹｅｓの場合、図３あるいは図４の処理を行う。Ｓ２３：ユーザはＳ２１にてＮｏの場合、操作手段５の裏写り除去モードキーをオフし、スタートキーを再押下する。画像形成装置は、画像読み取り手段１により原稿画像の読み取りを行い、さらに裏写り除去手段２により裏写り除去処理を行わずに（スルー設定）出力し、画像形成手段３により画像形成を行う。Ｓ２４：  ユーザは裏写り除去効果なしの形成画像を得る。
【００１０】
【発明の効果】
以上説明したように、請求項１によれば、画像形成前に、画像表示手段上に形成予定画像を表示することにより、ユーザが裏写り除去機能による効果（十分に裏写りが除去されているか、裏写り以外の箇所が除去されてしまっていないか等）を一度目視確認できる。従って、一度画像形成物を出力するといった時間的な浪費あるいはサプライの浪費を抑え、裏写り除去効果確認を効率的に行うことが可能となる。
さらに、再スキャンせずに画像形成できることにより、ＡＤＦ（自動原稿送り装置）使用時の再度原稿設置といった手間や、読み取り条件が異なることによる表示時の裏写り除去状況とは異なるといった不具合を回避することが可能となる。また、再スキャンによる製品寿命の短縮化を回避することも可能となる。
請求項２によれば、請求項１において、画像表示手段を用いて裏写り除去機能効果を目視確認した形成予定画像を、ユーザが使用希望するか否かに応じて、画像形成時に裏写り除去機能の使用可否のモード変更を行うことができることにより、時間的な浪費あるいはサプライの浪費を抑え、裏写り除去画像を効率的に出力することが可能となる。
請求項３によれば、請求項１において、画像表示手段を用いて裏写り除去機能効果を目視確認した形成予定画像を、ユーザが使用希望するか否かに応じて、画像形成時に裏写り除去機能用レベル変更を行うことができることにより、時間的な浪費あるいはサプライの浪費を抑え、所望の除去レベルの裏写り除去画像を効率的に出力することが可能となる。
請求項４によれば、請求項１において、画像表示手段を用いた裏写り除去機能効果の目視確認を、ユーザが不要であると判断した場合、あらかじめ該内容の設定をしておけば、画像表示手段での裏写り除去機能効果確認用形成予定画像表示を行わずに画像形成を即時に行えることにより、裏写り除去があらかじめ不要とわかっている場合、時間的な浪費を抑え所望の画像を効率的に出力することが可能となる。
【図面の簡単な説明】
【図１】本発明の実施の形態に係る画像形成装置の機能ブロック図である。
【図２】原稿の表裏面と裏写り除去確認画面を示す図である。
【図３】本発明の画像形成装置におけるユーザの操作フローの第１の例を示す図である。
【図４】本発明の画像形成装置におけるユーザの操作フローの第２の例を示す図である。
【図５】本発明の画像形成装置におけるユーザの操作フローの第３の例を示す図である。
【符号の説明】
１：画像読み取り手段
２：裏写り除去手段
３：画像形成手段
４：画像表示手段
５：操作手段
６：画像蓄積手段
７：システム制御手段
【図１】
2004221694.tif 000003
【図２】
2004221694.tif 000004
【図３】
2004221694.tif 000005
【図４】
2004221694.tif 000006
【図５】
2004221694.tif 000007